(57)【要約】【課題】建物の屋根を葺く金属板材の端部同士を重合し接続する作業が容易で、金属板材の再使用が容易で、金属腐食が発生しにくく、雨漏りの生じにくいワンタッチ屋根葺構造とワンタッチ屋根葺接続方法を提供する。【解決手段】一方の前記金属板を寝かせて配置し、他方の前記金属板を立たせることで、一方の前記金属板の下側構造３を構成する下略コの字部９の上辺部１５の先端に、他方の前記金属板の上側構造５を構成する上略コの字部９の上辺部１５と覆い部２３と境を係止させる。次に、係止を保ったまま他方の金属板を、徐々に寝かせる。これにより、やがて知恵の輪の動作のように、重ね合せが生じるので、一方の金属板と同じ平面位置まで他方の前記金属板を寝かせて並べる。【選択図】図1
2007217864.tif 000002
【特許請求の範囲】
【請求項１】
建物の屋根を葺く金属板材の端部同士を重合し接続する接続部分において、前記端部の一方で重合の下側に位置する下側構造は、前記端部が屈曲されて立ち上がる下立上部と、この下立上部の先端が屈曲されて形成される下略コの字部と、を有して構成され、前記端部の他方で重合の上側に位置する上側構造は、前記下側構造に重合するように、前記端部が屈曲されて立ち上がる上立上部と、この上立上部の先端が屈曲されて形成される上略コの字部と、この上略コの字部の先端が下方へ屈曲されて、前記下略コの字部のコの字の開口部を覆う覆い部と、を有して構成されることを特徴とするワンタッチ屋根葺構造。
【請求項２】
前記下略コの字部及び上略コの字部のそれぞれのコの字を形成する下辺部と縦辺部は、９０度よりも大きな角度を形成することを特徴とする請求項１に記載のワンタッチ屋根葺構造。
【請求項３】
前記下略コの字部の覆い部には、前記下略コの字部の上辺部の厚み分以上下方に、内側へ略Ｕ字状に屈曲して形成されるストッパーが設けられていることを特徴とする請求項１、又は請求項２に記載のワンタッチ屋根葺構造。
【請求項４】
前記請求項１、請求項２、又は請求項３に記載のワンタッチ屋根葺構造を有する前記金属板材を用いて、一方の前記金属板を寝かせて配置し、他方の前記金属板を立たせることで、前記一方の前記金属板の前記下側構造を構成する下略コの字部の上辺部の先端に、他方の前記金属板の前記上側構造を構成する上略コの字部の上辺部と覆い部と境を係止させる第一工程と、前記係止を保ったまま前記他方の前記金属板を徐々に寝かせ、やがて前記重合が生じ前記一方の前記金属板と同じ平面位置まで寝かせて並べる第二工程と、を有するワンタッチ屋根葺接続方法。
【発明の詳細な説明】
【技術分野】
【０００１】
この発明は、建物の屋根を葺く金属板材の端部同士を重合し接続するための接続の構造と方法に関する。
【背景技術】
【０００２】
建物の屋根をトタン板などの金属板材で葺くための構造として、従来のはぜ構造がある。このはぜ構造は、たとえば下記の特許文献１に記載される。
【特許文献１】特開２０００−３２００８２  このようなはぜ構造の一例を、図１１で説明する。すなわち、金属板材１０１の端部同士を重合し折り曲げて接続するためのものである。この接続部分において、重合の下側に位置する下側構造１０３は、金属板材１０１の端部が屈曲されて立ち上がる下立上部１０５と、この下立上部１０５の先端が屈曲されて形成される下水平部１０７と、によって全体が逆さＬ字形になる。
【０００３】
重合の上側に位置する上側構造１０９は、下側構造１０３に重合するように、端部が屈曲されて立ち上がる上立上部１１１と、この上立上部１１１の先端が屈曲されて形成される上水平部１１３と、この上水平部１１３の先端が下方へ屈曲される下方垂直部１１５と、を有する。
【０００４】
このようなはぜ構造で、金属板材１０１を接続する手順は図１２に示すように、まず、一方の金属板材１０１を屋根に寝かせて配置し（同図（ａ））、釘１１７で止める（同図（ｂ））。次に、その寝かせた金属板材１０１の下側構造１０３に対し、他方の金属板材１０１の上側構造１０９を重ね合わせて（同図（ｃ））、他方の金属板材１０１を寝かせる。
【０００５】
このとき、下側構造１０３の下立上部１０５に上側構造１０９の上立上部１１１が密着し、下側構造１０３の下水平部１０７に上側構造１０９の上水平部１１３が密着し、下水平部１０７の先端を覆って下方垂直部１１５が下方へ位置する。
【０００６】
そして、この下方垂直部１１５を下水平部１０７の下内側へ工具を用いて折り曲げ（同図（ｄ）（ｅ））、下側構造１０３と上側構造１０９の全体を密着させる。さらに、折り曲げられた下方垂直部１１５と、上水平部１１３と、下水平部１０７との三者が形成する逆さＬ字形の分厚い水平部を、工具を用いて折り曲げる（同図（ｅ）（ｆ））。
【０００７】
図示しないが、その後に、他方の金属板材１０１を屋根に釘１１７で止める。この他方の金属板材１０１の下側構造１０３に対し、３枚目の金属板材１０１の上側構造１０９を重ね合わせて、同様の接続を行う。このようにして屋根を連続して葺くことができる。      
【発明の開示】
【発明が解決しようとする課題】
【０００８】
しかしながら、前記従来のはぜ構造では、
（１）折り曲げ作業を２回行わなければならず、作業が面倒である。
（２）折り曲げ作業を行った金属板材は、折り曲げ部分が変形しており、再使用が困難である。
【０００９】
（３）工具で折り曲げ作業を行った部分に傷が付きやすく、その傷から金属腐食が発生しやすい。
（４）図１３図に示すように、雨漏りは、密着した折り曲げ部分に、毛細管現象により雨水が吸い上げられ、水路Ｗが形成されることによるが、この水路Ｗの外側端部ＷＯは、外部に露出しており、よって、雨水の吸い上げが起きやすく、水路Ｗの内側端部ＷＩから雨漏りが生じやすかった。
【００１０】
この発明は、以上の問題点を解決するために、作業が容易で、金属板材の再使用が容易で、金属腐食が発生しにくく、雨漏りの生じにくいワンタッチ屋根葺構造とワンタッチ屋根葺接続方法を提供することを目的とする。
【課題を解決するための手段】
【００１１】
以上の課題を解決するために、第一発明は、建物の屋根を葺く金属板材の端部同士を重合し接続する接続部分において、前記端部の一方で重合の下側に位置する下側構造は、前記端部が屈曲されて立ち上がる下立上部と、この下立上部の先端が屈曲されて形成される下略コの字部と、を有して構成され、前記端部の他方で重合の上側に位置する上側構造は、前記下側構造に重合するように、前記端部が屈曲されて立ち上がる上立上部と、この上立上部の先端が屈曲されて形成される上略コの字部と、この上略コの字部の先端が下方へ屈曲されて、前記下略コの字部のコの字の開口部を覆う覆い部と、を有して構成されることを特徴とするワンタッチ屋根葺構造である。
第二発明は、さらに、前記下略コの字部及び上略コの字部のそれぞれのコの字を形成する下辺部と縦辺部は、９０度よりも大きな角度を形成することを特徴とする請求項１に記載のワンタッチ屋根葺構造である。
第三発明は、さらに、前記下略コの字部の覆い部には、前記下略コの字部の上辺部の厚み分以上下方に、内側へ略Ｕ字状に屈曲して形成されるストッパーが設けられていることを特徴とするワンタッチ屋根葺構造である。
第四発明は、前記請求項１又は請求項２に記載のワンタッチ屋根葺構造を有する前記金属板材を用いて、一方の前記金属板を寝かせて配置し、他方の前記金属板を立たせることで、前記一方の前記金属板の前記下側構造を構成する下略コの字部の上辺部の先端に、他方の前記金属板の前記上側構造を構成する上略コの字部の上辺部と覆い部と境を係止させる第一工程と、前記係止を保ったまま前記他方の前記金属板を徐々に寝かせ、やがて前記重合が生じ前記一方の前記金属板と同じ平面位置まで寝かせて並べる第二工程と、を有するワンタッチ屋根葺接続方法である。
【発明の効果】
【００１２】
第一、第二、第三、又は第四発明によれば、一方の金属板を寝かせ他方の前記金属板を立たせることにより、下側構造の上辺部の先端に、上側構造の上辺部と覆い部と境を係止させ、この係止を保ったまま上側構造の金属板を徐々に寝かせれば、やがて知恵の輪の動作のように、下略コの字部により上略コの字部が押され、弾性により拡がった元に戻り、塑性変形を生じずに、両コの字部が重なり、下側構造と上側構がぴったりと密着して重合する。
【００１３】
このため、
（１）折り曲げ作業を全く行わなくて良く、いわばワンタッチで作業ができ、作業はきわめて容易である。
（２）折り曲げ作業を行わないので、金属板材は、塑性変形がなく、再使用が容易である。
【００１４】
（３）折り曲げ作業を行わないので、傷が付きにくく、金属腐食が発生しにくい。
（４）重合が行われた状態で、上略コの字部の先端の覆い部が、下略コの字部のコの字の
開口部を覆い、閉じた空洞を形成する。この空洞の奥部分が、毛細管現象により雨水が吸い上げられる水路の外側端部になっており、外部に露出せず、よって、雨漏りが生じにくい。
【００１５】
第三発明に撚れば、さらに、上側構造の覆い部のストッパーは、重合の際に、下側構造の上辺部に接触して、上側構造が動かないようにでき、下側構造３と上側構造５がよりしっかりと重合した状態を維持できる。
第四発明によれば、さらに、下略コの字部及び上略コの字部のそれぞれのコの字を形成する下辺部と縦辺部は、９０度よりも大きな角度を形成することで、知恵の輪の動作に必要な力を小さくできる。すなわち、知恵の輪の動作では、下略コの字部により上略コの字部が押され、弾性により拡がるが、このとき、コの字部は大きな角度で既に拡がった形状になっているので、さらには拡がる量が少なくてすみ、小さな力で重合できる。
【発明を実施するための最良の形態】
【００１６】
この発明の実施形態を、図１から図１０に示す。
この実施形態では縦葺き屋根を例に説明する。すなわち、建物の屋根を葺く金属板材１を、屋根の上で横方向に並べ、各金属板材１の縦の端部同士を重ね合せ、接続する。
【００１７】
この接続部分において、重合の下側に位置する下側構造３と上側に位置する上側構造５とは、図１、図２に示すように、同じ一枚の金属板材１の両端に設けられる。このうち下側構造３は、端部が屈曲されて立ち上がる下立上部７と、この下立上部７の先端が屈曲されて形成される下略コの字部９と、を有して構成される。
【００１８】
下略コの字部９は、下辺部１１、縦辺部１３、上辺部１５を連続した形態で有する。下側構造３の全体は、金属板材１の端部を二重にした部分で形成される。そして、下側構造３の下立上部７と、金属板材１の最端部との間は、一重で水平な裾部１７になっている。この裾部１７の端部、すなわち金属板材１の最端部は、金属板材１の端部を二重にした部分１８を有する。
【００１９】
上側構造５は、下側構造３に重合する寸法で形成される。そして、端部が屈曲されて立ち上がる上立上部１９と、この上立上部１９の先端が屈曲されて形成される上略コの字部２０と、を有する。この上略コの字部２０は、下辺部１１、縦辺部１３、上辺部１５を連続した形態で有する。さらに、この上略コの字部２０の先端が下方へ屈曲されて、下略コの字部９のコの字の開口部２１を覆う覆い部２３を形成する。
この覆い部２３には、内側へ略Ｕ字状に屈曲して形成されるストッパー２３Ｓが設けられている。このストッパー２３Ｓは、下略コの字部９の上辺部１５の厚み分以上下方に形成される。これにより、重合の際に、上辺部１５に接触して上側構造５が動かないようにするストッパーとなる。
覆い部２３の先端は、金属板材１の端部を二重にした部分２４を有する。
【００２０】
上立上部１９に隣接して金属板材１の中央側には、板材が一段高くなって、下に、下側構造３の裾部１７が配置される隙間２５が形成される。
下略コの字部９及び上略コの字部２０のそれぞれのコの字を形成する下辺部１１と縦辺部１３は、９０度よりも大きな角度を形成する。
【００２１】
［施工手順］
図３から図１０において、図１、図２のワンタッチ屋根葺構造により金属板材１を接続し、屋根を葺く施工手順を、説明する。
【００２２】
すなわち図３、図４に示すように、一方の前記金属板材１を、木製の屋根の上に寝かせて配置し、裾部１７を釘１１７で止める。次に、他方の金属板を例えば５０度程度に立たせる（図５（ａ）、図７）ことで、一方の金属板材１の下側構造３を構成する下略コの字部９の上辺部１５の先端１５Ａに、他方の金属板の上側構造５を構成する上略コの字部２０の上辺部１５と覆い部２３と境を、すなわち９０度の凹部２３Ａを、係止させる（図６参照）。
【００２３】
次に、この係止を保ったまま他方の金属板を徐々に寝かせる（図５（ｂ））。寝かせるに従い図６に示すように、やがて知恵の輪の動作のように、下略コの字部９の下の角部９Ａにより、上略コの字部２０の下辺部１１の内側が押され、上略コの字部２０が弾性により拡がりながら、下略コの字部９に対し上コの字部２０が重なる。重なると同時に、拡がりが弾性により元に戻る。
【００２４】
このようにして、塑性変形を生じずに、両コの字部９、２０が重なり、下側構造３と上側構造５がぴったりと密着して重合し、接続が完了する。そして、一方の金属板材１と同じ平面位置まで、他方の金属板剤１を寝かせて並べる（図５（ｃ））。この他方の前記金属板材１の裾部１７を釘１１７で止める（図８）。
【００２５】
この他方の金属板材１の下側構造３に対し、３枚目の金属板材１の上側構造５を重ね合わせて、図３から図８と同様の接続を行う。このようにして屋根を連続して葺くことができる（図９）。
【００２６】
「実施形態の効果」
この実施形態によれば、
（１）従来のような折り曲げ作業を全く行わなくて良く、寝かせた一方の金属板材１に対し他方の金属板材１を立たせ、所定箇所を係止することで、いわばワンタッチで接続の作業ができ、作業はきわめて容易である。
【００２７】
（２）折り曲げ作業を行わないので、金属板材１は、塑性変形がなく、再使用が容易である。すなわち、接続作業と逆方向へ、他方の金属板材１を立たせることで、容易に接続を解除でき、よって金属板材１同士を分離し、運搬でき、再利用できる。
【００２８】
（３）工具による折り曲げ作業を行わないので、トタン板などの表面のメッキ層がはがれ傷が付くことなどのことが少なく、金属腐食が発生しにくい。
（４）図１０に示すように、重合が行われた状態で、上略コの字部２０の先端の覆い部２３が、下略コの字部９のコの字の開口部２１を覆い、閉じた空洞２１Ａを形成する。そして、この空洞２１Ａの上奥部分が、毛細管現象により雨水が吸い上げられる水路Ｗの外側端部ＷＯになっており、外部に露出せず、よって、雨漏りが生じにくい。また、この外側端部ＷＯは、覆い部２３の先端から浸入した雨水が存在する部分から高さＨの位置にあり、雨水の吸い上げは起き難く、抜群の水密効果を有する。
【００２９】
（５）下略コの字部９及び上略コの字部２０のそれぞれのコの字を形成する下辺部１１と縦辺部１３は、９０度よりも大きな角度を形成することで、知恵の輪の動作に必要な力を小さくできる。すなわち、知恵の輪の動作では、下略コの字部９の角部９Ａ（図６参照）により上略コの字部２０が押され、弾性により拡がるが、このとき、コの字部２０は大きな角度で既に拡がった形状になっているので、さらには拡がる量が少なくて済む。また、下辺部１１は傾斜しているので、下略コの字部９の下の角部９Ａにより、上略コの字部２０の下辺部１１の内側が押される際に、この角部９Ａと下辺部１１とのすべりが生じやすく、知恵の輪の動作が円滑に進む。
（６）覆い部２３のストッパー２３Ｓが、下略コの字部９の上辺部１５接触して、下側構造３と上側構造５がよりしっかりと重合した状態を維持できる。たとえば、図１０Ｂに示すように、屋根の雪下ろしの際に、スコップＳの先が覆い部２３の下端にぶつかったときに生じる衝撃Ｆのうち、水平成分Ｆｘについては、覆い部２３の下端が下辺部１１の傾斜面にぶつかってストッパーの働きをするが、垂直成分Ｆｙについては、覆い部２３のこのストッパー２３Ｓが、下略コの字部９の上辺部１５接触して、ストッパーの働きをする。よって、衝撃Ｆを受けても、覆い部２３は動かず、下側構造３と上側構造５がよりしっかりと重合した状態を維持できる。
【００３０】
「他の実施形態」
以上の実施形態では、下略コの字部９及び上略コの字部２０のそれぞれのコの字を形成する下辺部１１と縦辺部１３は、９０度よりも大きな角度を形成するものであったが、他の実施形態では、９０度であってもかまわない。
【図面の簡単な説明】
【００３１】
【図１】この発明の一実施形態に係る構造を有する金属板材を示す断面図である。
【図２】図１の斜視図である。
【図３】この発明の一実施形態に係る施行手順のうち始めの施行を示す断面図である。
【図４】図３の全体断面図である。
【図５】施行手順のうち中ほどの施行を（ａ）（ｂ）（ｃ）の順に示す断面図である。
【図６】図５（ｂ）の要部を示す拡大図である。
【図７】図５（ａ）の斜視図である。
【図８】施行手順のうち終わりの施行を示す断面図である。
【図９】図８の全体斜視図である。
【図１０】図８の要部拡大図である。
【図１０Ｂ】図１０の一部拡大図である。
【図１１】従来例を示すもので（ａ）は断面図、（ｂ）は斜視図である。
【図１２】図１１の従来例による施行手順を（ａ）から（ｆ）の順に示す要部断面図である。
【図１３】図１２（ｆ）の状態で雨漏りの発生を説明する断面図である。
【符号の説明】
【００３２】
１…金属板材、３…下側構造、５…上側構造、７…下立上部、９…下略コの字部、１１…下辺部、１３…縦辺部、１５…上辺部、１７…裾部、１９…上立上部、２０・・上略コの字部、２１…開口部、２３…覆い部、２３Ｓ・・ストッパー、２５…隙間、１０１…金属板材、１０３…下側構造、１０５…下立上部、１０７…下水平部、１０９…上側構造、１１１…上立上部、１１３…上水平部、１１５…下方垂直部、１１７…釘。
【図１】
2007217864.tif 000003
【図２】
2007217864.tif 000004
【図３】
2007217864.tif 000005
【図４】
2007217864.tif 000006
【図５】
2007217864.tif 000007
【図６】
2007217864.tif 000008
【図７】
2007217864.tif 000009
【図８】
2007217864.tif 000010
【図９】
2007217864.tif 000011
【図１０】
2007217864.tif 000012
【図１０Ｂ】
2007217864.tif 000013
【図１１】
2007217864.tif 000014
【図１２】
2007217864.tif 000015
【図１３】
2007217864.tif 000016